(57)【特許請求の範囲】
【請求項１】
相互に異なる色表示が可能な複数個の表示デバイスを１組に組み合わせ、チャンネル部番号で区別される各組ごとに各表示デバイスの駆動条件のそれぞれを時系列的に変更することで複数種類の色表現を可能とする複数組の表示チャンネル部に接続される表示駆動回路であって、
各表示チャンネル部ごとに設けられ、各表示チャンネル部を構成する複数個の表示デバイスをそれぞれ独立に駆動可能な複数組のチャンネル駆動部と、
各表示チャンネル部のそれぞれについて、予め定めた遅延時間によって点灯サイクルを切り替えるタイミングを異ならせながら、各点灯サイクルをその点灯時間を経過するごとに順次次の点灯サイクルに切り替えるサイクル切替部と、
表示チャンネル部を構成する各表示デバイスの駆動条件であるチャンネル駆動条件と、各種類の色表現とを対応付けた複数種類のパレットデータを用い、予め指示された時系列色表現指示について、色表現に対応付けられているパレットデータと時間軸上の色表現の動きを表す情報とに分離して管理し、予め指示された時系列色表現指示に従って、各点灯サイクルごとに各表示チャンネル部に対応するパレットデータを取得し、点灯サイクルの遅延された切替に応じて取得されたパレットデータを順次切り替えながら割り当てて、表示チャンネル部を構成する各表示デバイスの駆動条件を設定するパレットデータ設定部と、
予め定めた複数の表示チャンネル部について同一のパレット番号を指す時系列パレット番号テーブルを作成するテーブル生成部と、
を備え、
パレットデータ設定部は、
同一のパレット番号に対応するパレットデータを予め定めた遅延時間に従って各表示チャンネル部を構成する表示デバイスの駆動条件として設定し、
予め定めた複数の表示チャンネル部について時系列的に色表現を変化させることを特徴とする表示駆動回路。
【請求項２】
相互に異なる色表示が可能な複数個の表示デバイスを１組に組み合わせ、チャンネル部番号で区別される各組ごとに各表示デバイスの駆動条件のそれぞれを時系列的に変更することで複数種類の色表現を可能とする複数組の表示チャンネル部に接続される表示駆動回路であって、
各表示チャンネル部ごとに設けられ、各表示チャンネル部を構成する複数個の表示デバイスをそれぞれ独立に駆動可能な複数組のチャンネル駆動部と、
各表示チャンネル部のそれぞれについて、予め定めた遅延時間によって点灯サイクルを切り替えるタイミングを異ならせながら、各点灯サイクルをその点灯時間を経過するごとに順次次の点灯サイクルに切り替えるサイクル切替部と、
表示チャンネル部を構成する各表示デバイスの駆動条件であるチャンネル駆動条件と、各種類の色表現とを対応付けた複数種類のパレットデータに基づいて、予め指示された時系列色表現指示に従って生成されたテーブルを記憶するテーブル記憶部であって、色表現に対応付けられているパレットデータとパレット番号とを関連付けたパレットデータテーブルと、点灯サイクル順序ごとのチャンネル部番号とパレット番号とを関連付けた時系列パレット番号テーブルとを記憶するテーブル記憶部と、
記憶されたパレットデータテーブルと時系列パレット番号テーブルとを参照し、各点灯サイクルごとに各チャンネル部番号に対応するパレットデータを取得し、点灯サイクルの遅延された切替に応じて取得されたパレットデータを順次切り替えながら割り当てて、表示チャンネル部を構成する各表示デバイスの駆動条件を設定するパレットデータ設定部と、
予め定めた複数の表示チャンネル部について同一のパレット番号を指す時系列パレット番号テーブルを作成するテーブル生成部と、
を備え、
パレットデータ設定部は、
同一のパレット番号に対応するパレットデータを予め定めた遅延時間に従って各表示チャンネル部を構成する表示デバイスの駆動条件として設定し、
予め定めた複数の表示チャンネル部について時系列的に色表現を変化させることを特徴とする表示駆動回路。
【請求項３】
請求項１または２に記載の表示駆動回路において、
サイクル切替部は、
隣接する表示チャンネル部について点灯サイクルの切替タイミングの差の時間であるチャンネル部間遅延時間をそれぞれ異ならせて点灯サイクルを切り替えることを特徴とする表示駆動回路。
【請求項４】
請求項１または２に記載の表示駆動回路において、
チャンネル駆動部は、
表示デバイスとしてＬＥＤを駆動することを特徴とする表示駆動回路。
【請求項５】
時系列色表現の指示を与える制御装置と、時系列色表現の指示を取得して複数個の表示デバイスを駆動する表示駆動回路とを備え、
表示駆動回路は、
相互に異なる色表示が可能な複数個の表示デバイスを１組に組み合わせ、チャンネル部番号で区別される各組ごとに各表示デバイスの駆動条件のそれぞれを時系列的に変更することで複数種類の色表現を可能とする複数組の表示チャンネル部に接続される表示駆動回路であって、
各表示チャンネル部ごとに設けられ、各表示チャンネル部を構成する複数個の表示デバイスをそれぞれ独立に駆動可能な複数組のチャンネル駆動部と、
各表示チャンネル部のそれぞれについて、予め定めた遅延時間によって点灯サイクルを切り替えるタイミングを異ならせながら、各点灯サイクルをその点灯時間を経過するごとに順次次の点灯サイクルに切り替えるサイクル切替部と、
表示チャンネル部を構成する各表示デバイスの駆動条件であるチャンネル駆動条件と、各種類の色表現とを対応付けた複数種類のパレットデータを用い、予め指示された時系列色表現指示について、色表現に対応付けられているパレットデータと時間軸上の色表現の動きを表す情報とに分離して管理し、予め指示された時系列色表現指示に従って、各点灯サイクルごとに各表示チャンネル部に対応するパレットデータを取得し、点灯サイクルの遅延された切替に応じて取得されたパレットデータを順次切り替えながら割り当てて、表示チャンネル部を構成する各表示デバイスの駆動条件を設定するパレットデータ設定部と、
予め定めた複数の表示チャンネル部について同一のパレット番号を指す時系列パレット番号テーブルを作成するテーブル生成部と、
を備え、
パレットデータ設定部は、
同一のパレット番号に対応するパレットデータを予め定めた遅延時間に従って各表示チャンネル部を構成する表示デバイスの駆動条件として設定し、
予め定めた複数の表示チャンネル部について時系列的に色表現を変化させることを特徴とする表示駆動システム。
【請求項６】
時系列色表現の指示を与える制御装置と、時系列色表現の指示を取得して複数個の表示デバイスを駆動する表示駆動回路とを備え、
表示駆動回路は、
相互に異なる色表示が可能な複数個の表示デバイスを１組に組み合わせ、チャンネル部番号で区別される各組ごとに各表示デバイスの駆動条件のそれぞれを時系列的に変更することで複数種類の色表現を可能とする複数組の表示チャンネル部に接続される表示駆動回路であって、
各表示チャンネル部ごとに設けられ、各表示チャンネル部を構成する複数個の表示デバイスをそれぞれ独立に駆動可能な複数組のチャンネル駆動部と、
各表示チャンネル部のそれぞれについて、予め定めた遅延時間によって点灯サイクルを切り替えるタイミングを異ならせながら、各点灯サイクルをその点灯時間を経過するごとに順次次の点灯サイクルに切り替えるサイクル切替部と、
時系列色表現の指示を取得する取得部と、
表示チャンネル部を構成する各表示デバイスの駆動条件であるチャンネル駆動条件と、各種類の色表現とを対応付けた複数種類のパレットデータに基づいて、取得した時系列色表現指示に従ったチャンネル駆動のために必要なテーブルを生成するテーブル生成部であって、色表現に対応付けられているパレットデータとパレット番号とを関連付けたパレットデータテーブルと、点灯サイクル順序ごとのチャンネル部番号とパレット番号とを関連付けた時系列パレット番号テーブルとを生成するテーブル生成部と、
生成されたテーブルを記憶するテーブル記憶部と、
記憶されたパレットデータテーブルと時系列パレット番号テーブルとを参照し、各点灯サイクルごとに各チャンネル部番号に対応するパレットデータを取得し、点灯サイクルの遅延された切替に応じて取得されたパレットデータを順次切り替えながら割り当てて、表示チャンネル部を構成する各表示デバイスの駆動条件を設定するパレットデータ設定部と、
を備え、
テーブル生成部は、
予め定めた複数の表示チャンネル部について同一のパレット番号を指す時系列パレット番号テーブルを作成し、
パレットデータ設定部は、
同一のパレット番号に対応するパレットデータを予め定めた遅延時間に従って各表示チャンネル部を構成する表示デバイスの駆動条件として設定し、
予め定めた複数の表示チャンネル部について時系列的に色表現を変化させることを特徴とする表示駆動システム。
【発明の詳細な説明】
【技術分野】
【０００１】
本発明は、表示デバイスのための表示駆動回路及び表示駆動システムに関する。
【背景技術】
【０００２】
相互に異なる色表示が可能な複数個の表示デバイスを用いて多様な色表現を行う表示装置等が開発されている。例えば、特許文献１には、携帯端末の表示制御方法等として、着信通知用楽曲の楽曲コードを検索し、この楽曲コードに対応して音の高さに応じて点灯色を変化させる点灯色変化パターンデータを記憶領域から読み出して、ＬＥＤ（Ｌｉｇｈｔ  Ｅｍｉｓｓｉｏｎ  Ｄｅｖｉｃｅ）駆動部を制御し、着信通知ランプの赤色ＬＥＤ、緑色ＬＥＤ、青色ＬＥＤを駆動させ、設定された点灯色変化パターンで点滅させることが開示されている。
【０００３】
この技術では、楽曲コードの音の高さに応じて対応する点灯色を設定し、予め点灯色変化パターンを生成し、これを記憶領域に記憶する。例えば、ドレミファソの音の高さに応じて、ドを赤色、レを緑色、ミを黄色、ソを紫色と設定した場合、ドレミソドの楽曲コードについては、赤色−緑色−黄色−紫色−赤色の点灯色変化パターンが生成され、これが記憶領域に記憶される。
【先行技術文献】
【特許文献】
【０００４】
【特許文献１】特開２００３−２７３９６９号公報
【発明の概要】
【発明が解決しようとする課題】
【０００５】
特許文献１の技術によれば、３色のＬＥＤを用い、記憶領域に予め点灯色変化パターンを記憶しておくことで、音の高さに応じた多様な点灯色を点灯させることができる。この技術では、予め音の高さと点灯色との関係を設定し、楽曲コードに対応する点灯色変化パターンを生成して記憶するので、その後に点灯色の変更等は面倒である。例えば、音の高さと点灯色との関係を変更したいと考え、上記の例でレを黄色、ミを緑色としたい場合に、点灯色変化パターンの全体の生成がやり直しとなる。
【０００６】
このように、従来技術では、相互に異なる色表示が可能な複数個の表示デバイスを用いて多様な色表現を行うことができるが、一旦点灯色変化パターンが設定されると、その内容の変更は容易ではない。
【０００７】
本発明の目的は、表示デバイスを用いて色表現の多様性を向上できる表示駆動回路及び表示駆動システムを提供することである。他の目的は、相互に異なる色表示が可能な複数個の表示デバイスを用いて多様な色表現の設定を容易に行うことができる表示駆動回路及び表示駆動システムを提供することである。
【課題を解決するための手段】
【０００９】
また、本発明に係る表示駆動回路は、相互に異なる色表示が可能な複数個の表示デバイスを１組に組み合わせ、チャンネル部番号で区別される各組ごとに各表示デバイスの駆動条件のそれぞれを時系列的に変更することで複数種類の色表現を可能とする複数組の表示チャンネル部に接続される表示駆動回路であって、各表示チャンネル部ごとに設けられ、各表示チャンネル部を構成する複数個の表示デバイスをそれぞれ独立に駆動可能な複数組のチャンネル駆動部と、各表示チャンネル部のそれぞれについて、予め定めた遅延時間によって点灯サイクルを切り替えるタイミングを異ならせながら、各点灯サイクルをその点灯時間を経過するごとに順次次の点灯サイクルに切り替えるサイクル切替部と、表示チャンネル部を構成する各表示デバイスの駆動条件であるチャンネル駆動条件と、各種類の色表現とを対応付けた複数種類のパレットデータを用い、予め指示された時系列色表現指示について、色表現に対応付けられているパレットデータと時間軸上の色表現の動きを表す情報とに分離して管理し、予め指示された時系列色表現指示に従って、各点灯サイクルごとに各表示チャンネル部に対応するパレットデータを取得し、点灯サイクルの遅延された切替に応じて取得されたパレットデータを順次切り替えながら割り当てて、表示チャンネル部を構成する各表示デバイスの駆動条件を設定するパレットデータ設定部と、予め定めた複数の表示チャンネル部について同一のパレット番号を指す時系列パレット番号テーブルを作成するテーブル生成部と、を備え、パレットデータ設定部は、同一のパレット番号に対応するパレットデータを予め定めた遅延時間に従って各表示チャンネル部を構成する表示デバイスの駆動条件として設定し、予め定めた複数の表示チャンネル部について時系列的に色表現を変化させることを特徴とする。
【００１０】
また、本発明に係る表示駆動回路は、相互に異なる色表示が可能な複数個の表示デバイスを１組に組み合わせ、チャンネル部番号で区別される各組ごとに各表示デバイスの駆動条件のそれぞれを時系列的に変更することで複数種類の色表現を可能とする複数組の表示チャンネル部に接続される表示駆動回路であって、各表示チャンネル部ごとに設けられ、各表示チャンネル部を構成する複数個の表示デバイスをそれぞれ独立に駆動可能な複数組のチャンネル駆動部と、各表示チャンネル部のそれぞれについて、予め定めた遅延時間によって点灯サイクルを切り替えるタイミングを異ならせながら、各点灯サイクルをその点灯時間を経過するごとに順次次の点灯サイクルに切り替えるサイクル切替部と、表示チャンネル部を構成する各表示デバイスの駆動条件であるチャンネル駆動条件と、各種類の色表現とを対応付けた複数種類のパレットデータに基づいて、予め指示された時系列色表現指示に従って生成されたテーブルを記憶するテーブル記憶部であって、色表現に対応付けられているパレットデータとパレット番号とを関連付けたパレットデータテーブルと、点灯サイクル順序ごとのチャンネル部番号とパレット番号とを関連付けた時系列パレット番号テーブルとを記憶するテーブル記憶部と、記憶されたパレットデータテーブルと時系列パレット番号テーブルとを参照し、各点灯サイクルごとに各チャンネル部番号に対応するパレットデータを取得し、点灯サイクルの遅延された切替に応じて取得されたパレットデータを順次切り替えながら割り当てて、表示チャンネル部を構成する各表示デバイスの駆動条件を設定するパレットデータ設定部と、予め定めた複数の表示チャンネル部について同一のパレット番号を指す時系列パレット番号テーブルを作成するテーブル生成部と、を備え、パレットデータ設定部は、同一のパレット番号に対応するパレットデータを予め定めた遅延時間に従って各表示チャンネル部を構成する表示デバイスの駆動条件として設定し、予め定めた複数の表示チャンネル部について時系列的に色表現を変化させることを特徴とする。
【００１２】
また、本発明に係る表示駆動回路において、サイクル切替部は、隣接する表示チャンネル部について点灯サイクルの切替タイミングの差の時間であるチャンネル部間遅延時間をそれぞれ異ならせて点灯サイクルを切り替えることが好ましい。
【００１４】
また、本発明に係る表示駆動回路において、チャンネル駆動部は、表示デバイスとしてＬＥＤを駆動することが好ましい。
【００１５】
また、本発明に係る表示駆動システムは、時系列色表現の指示を与える制御装置と、時系列色表現の指示を取得して複数個の表示デバイスを駆動する表示駆動回路とを備え、表示駆動回路は、相互に異なる色表示が可能な複数個の表示デバイスを１組に組み合わせ、チャンネル部番号で区別される各組ごとに各表示デバイスの駆動条件のそれぞれを時系列的に変更することで複数種類の色表現を可能とする複数組の表示チャンネル部に接続される表示駆動回路であって、各表示チャンネル部ごとに設けられ、各表示チャンネル部を構成する複数個の表示デバイスをそれぞれ独立に駆動可能な複数組のチャンネル駆動部と、各表示チャンネル部のそれぞれについて、予め定めた遅延時間によって点灯サイクルを切り替えるタイミングを異ならせながら、各点灯サイクルをその点灯時間を経過するごとに順次次の点灯サイクルに切り替えるサイクル切替部と、表示チャンネル部を構成する各表示デバイスの駆動条件であるチャンネル駆動条件と、各種類の色表現とを対応付けた複数種類のパレットデータを用い、予め指示された時系列色表現指示について、色表現に対応付けられているパレットデータと時間軸上の色表現の動きを表す情報とに分離して管理し、予め指示された時系列色表現指示に従って、各点灯サイクルごとに各表示チャンネル部に対応するパレットデータを取得し、点灯サイクルの遅延された切替に応じて取得されたパレットデータを順次切り替えながら割り当てて、表示チャンネル部を構成する各表示デバイスの駆動条件を設定するパレットデータ設定部と、予め定めた複数の表示チャンネル部について同一のパレット番号を指す時系列パレット番号テーブルを作成するテーブル生成部と、を備え、パレットデータ設定部は、同一のパレット番号に対応するパレットデータを予め定めた遅延時間に従って各表示チャンネル部を構成する表示デバイスの駆動条件として設定し、予め定めた複数の表示チャンネル部について時系列的に色表現を変化させることを特徴とする。
【００１６】
また、本発明に係る表示駆動システムは、時系列色表現の指示を与える制御装置と、時系列色表現の指示を取得して複数個の表示デバイスを駆動する表示駆動回路とを備え、表示駆動回路は、相互に異なる色表示が可能な複数個の表示デバイスを１組に組み合わせ、チャンネル部番号で区別される各組ごとに各表示デバイスの駆動条件のそれぞれを時系列的に変更することで複数種類の色表現を可能とする複数組の表示チャンネル部に接続される表示駆動回路であって、各表示チャンネル部ごとに設けられ、各表示チャンネル部を構成する複数個の表示デバイスをそれぞれ独立に駆動可能な複数組のチャンネル駆動部と、各表示チャンネル部のそれぞれについて、予め定めた遅延時間によって点灯サイクルを切り替えるタイミングを異ならせながら、各点灯サイクルをその点灯時間を経過するごとに順次次の点灯サイクルに切り替えるサイクル切替部と、時系列色表現の指示を取得する取得部と、表示チャンネル部を構成する各表示デバイスの駆動条件であるチャンネル駆動条件と、各種類の色表現とを対応付けた複数種類のパレットデータに基づいて、取得した時系列色表現指示に従ったチャンネル駆動のために必要なテーブルを生成するテーブル生成部であって、色表現に対応付けられているパレットデータとパレット番号とを関連付けたパレットデータテーブルと、点灯サイクル順序ごとのチャンネル部番号とパレット番号とを関連付けた時系列パレット番号テーブルとを生成するテーブル生成部と、生成されたテーブルを記憶するテーブル記憶部と、記憶されたパレットデータテーブルと時系列パレット番号テーブルとを参照し、各点灯サイクルごとに各チャンネル部番号に対応するパレットデータを取得し、点灯サイクルの遅延された切替に応じて取得されたパレットデータを順次切り替えながら割り当てて、表示チャンネル部を構成する各表示デバイスの駆動条件を設定するパレットデータ設定部と、を備え、テーブル生成部は、予め定めた複数の表示チャンネル部について同一のパレット番号を指す時系列パレット番号テーブルを作成し、パレットデータ設定部は、同一のパレット番号に対応するパレットデータを予め定めた遅延時間に従って各表示チャンネル部を構成する表示デバイスの駆動条件として設定し、予め定めた複数の表示チャンネル部について時系列的に色表現を変化させることを特徴とする。
【発明の効果】
【００１７】
上記構成の少なくとも１つによれば、相互に異なる色表示が可能な複数個の表示デバイスのそれぞれについて、点灯サイクルを切り替えるタイミングを異ならせる。このように、点灯サイクルを切り替えるタイミングを各表示デバイスについて同じとせずに、各表示デバイスについて予め定めた遅延時間によって点灯サイクルを切り替えるタイミングを異ならせるので、色表現の多様性が向上する。
【００１８】
上記構成の少なくとも１つによれば、各表示チャンネル部を構成する複数個の表示デバイスの駆動条件であるチャンネル駆動条件と、各種類の色表現とを対応付けた複数種類のパレットデータに基づいて、時系列色表現に従って各色表現に対応するパレットデータを時系列に沿って割り当て、表示チャンネル部の複数個の表示デバイスの駆動条件を設定する。その際に、各表示チャンネル部のそれぞれについて、予め定めた遅延時間によって点灯サイクルを切り替えるタイミングを異ならせながら、各点灯サイクルをその点灯時間を経過するごとに順次次の点灯サイクルに切り替え、そのそれぞれ遅延された点灯サイクル切替に応じて、各点灯サイクルごとに割り当てられたパレットデータ組を順次切り替えて、各表示チャンネル部を構成する各表示デバイスの駆動条件として設定する。
【００１９】
このように点灯サイクルを切り替えるタイミングを各表示チャンネル部について同じとせずに、各表示チャンネル部について予め定めた遅延時間によって点灯サイクルを切り替えるタイミングを異ならせるので、色表現の多様性が向上する。
【００２０】
パレットデータは、時系列色表現を実現する際に、色表現に対応付けられた複数個の表示デバイスの駆動条件であって、時系列とは独立のものであるので、時系列色表現を示す点灯色変化パターンの内容の変更を行う場合でもパレットデータを差し替えるだけで済み、各表示デバイスの時系列駆動条件の全体を変更する必要がない。したがって、相互に異なる色表示が可能な複数個の表示デバイスを用いて多様な色表現の設定を容易に行うことができる。
【図面の簡単な説明】
【００２１】
【図１】本発明に係る実施の形態の前提となるパレットデータについて、１つの表示チャンネル部を有する表示駆動システムを用いて説明するための図である。
【図２】図１の詳細構成図である。
【図３】図１、図２の構成における作用を説明する図である。
【図４】従来技術の表示駆動方法による点灯シーケンスを説明する図である。
【図５】本発明に係る実施の形態において、１２の表示チャンネル部を有する場合の表示駆動システムの構成を説明する図である。
【図６】図５の詳細構成図である。
【図７】点灯サイクル切替タイミングを各表示チャンネルについて同じとする場合を説明する図である。
【図８】本発明に係る実施の形態において、点灯サイクル切替タイミングを各表示チャンネルについて異ならせる様子を説明する図である。
【図９】本発明に係る実施の形態において、サイクル切替部の構成の例を説明する図である。
【図１０】本発明に係る実施の形態について、１つの作用効果を説明する図である。
【図１１】本発明に係る実施の形態において、色表現指示に従ったテーブル生成の他の例を説明する図である。
【図１２】本発明に係る実施の形態において、色表現指示に従ったテーブル生成のさらに他の例を説明する図である。
【図１３】本発明に係る実施の形態において、色表現指示に従ったテーブル生成の別の例を説明する図である。
【発明を実施するための形態】
【００２２】
以下に図面を用いて本発明に係る実施の形態につき、詳細に説明する。以下では、表示チャンネル部を構成する表示デバイスとして、赤色ＬＥＤ（Ｒ−ＬＥＤ）、緑色ＬＥＤ（Ｇ−ＬＥＤ）、青色ＬＥＤ（Ｂ−ＬＥＤ）を説明するが、これ以外の色のＬＥＤを用いるものとしてもよい。また、ＬＥＤ以外でも、電気信号によって駆動される表示デバイスであればよい。例えば、ＬＥＤ以外の自発光素子であってもよい。また、液晶ディスプレイを構成するカラー画素を表示デバイスとして用いることができる。
【００２３】
また、以下では、表示チャンネル部を構成する表示デバイスの数を３つとし、表示チャンネル部の数を１と１２の場合について述べるが、これらは説明の一例であって、これ以外の表示デバイスの数、表示チャンネル部の数であってもよい。
【００２４】
また、以下では、色表現の多様性を容易に設定できる１つの手段として、パレットデータを用いることを説明するが、予め定めた遅延時間によって点灯サイクルを切り替えるタイミングを異ならせることで色表現の多様性を実現することについては、必ずしもパレットデータを用いる必要はない。例えば、表示チャンネル部が１つの場合は、パレットデータを用いなくても、複数の表示デバイスの点灯サイクルの切替のタイミングの遅延を考えるものとできる。このような場合には、各表示デバイスのそれぞれについて、点灯サイクルを切り替えるタイミングを異ならせることになる。
【００２５】
また、以下で述べる時系列色表現も説明のための１例であり、パレットデータの組み合わせの種類数の範囲内であれば、例示以外の多様な色表現も用いることができる。
【００２６】
以下では、表示駆動回路を集積化されたＩＣ（Ｉｎｔｅｇｒａｔｅｄ  Ｃｉｒｃｕｉｔ）とし、表示デバイスが接続され、外部の制御回路に接続されるものとし、時系列色表現に対応するパレットテーブル生成を表示駆動回路の機能として説明するが、ＩＣの有する機能は、外部の制御回路の機能と適切に分配することができる。表示駆動回路は複数の表示デバイスを駆動する機能と、この表示デバイスのための駆動部にパレットデータを時系列に割り当てるパレットデータ設定の機能とを有すればよく、その他の機能は、外部の制御回路の機能としてもよい。例えば、テーブル生成の機能を外部の制御回路の機能として、表示駆動回路は、そのテーブルに示されるパレットデータを実際の点灯切替タイミングに従って割り付けるものとすることもできる。
【００２７】
以下では、全ての図面において同様の要素には同一の符号を付し、重複する説明を省略する。また、本文中の説明においては、必要に応じそれ以前に述べた符号を用いるものとする。
【００２８】
多様な色表示を実現できる複数の表示チャンネル部の間の点灯サイクルの切替の内容を説明する前に、前提となるパレットデータを用いる表示駆動システムについて、その概要を図１から図４を用いて説明する。ここでは、パレットデータの特徴に絞って説明するために、１つの表示チャンネル部に接続される表示駆動回路を含む表示駆動システムの内容を述べる。１つの表示チャンネル部のみに接続される場合には、点灯サイクルの切替を伴わないが、その方がパレットデータの内容をよく説明できるからである。
【００２９】
図１は、１つの表示チャンネル部２０に接続される表示駆動回路５０を含む表示駆動システム１０の構成を説明するブロック図である。図２は、表示駆動システム１０の詳細な構成を説明する図である。
【００３０】
表示駆動システム１０は、相互に異なる色表示が可能な３個の表示デバイスを有する表示チャンネル部２０と、表示チャンネル部２０に接続され各表示デバイスを駆動する表示駆動回路５０と、表示駆動回路５０に時系列色表現指示を与える制御回路３０とを含んで構成される。表示駆動システム１０は、時系列色表現指示に従って、各表示デバイスの駆動条件を設定して、所望の時系列色表現を表示させる機能を有するシステムである。かかる表示駆動システムは、例えば、モバイル機器等に搭載されて利用される。
【００３１】
表示チャンネル部２０を構成する３個の表示デバイスは、赤色ＬＥＤ２２、緑色ＬＥＤ２４、青色ＬＥＤ２６である。これらのＬＥＤは、半導体チップの形態で基板に実装され、適当なレンズ形状の樹脂で覆われたものを用いることができる。勿論、レンズ付きの個別部品等を用いることもできる。
【００３２】
制御回路３０は、表示駆動システム１０全体の動作を制御する回路であるが、ここでは特に、時系列色表現指示部３２を含む。この時系列色表現指示部３２は、表示チャンネル部２０の３個の表示デバイスを用いて表示すべき時系列色表現指示を表示駆動回路５０に与える機能を有する。かかる制御回路３０としては、モバイル機器等への搭載に適した制御装置としてのマイクロコンピュータ等を用いることができる。
【００３３】
ここで、時系列色表現とは、３個のＬＥＤの駆動条件を組み合わせて全体として表示される色表現について、これを時系列的に変更するものである。例えば、３つのＬＥＤについて、赤色ＬＥＤ２２のみを駆動するときは赤色の表示となり、緑色ＬＥＤ２４のみを駆動すれば緑色の表示となり、青色ＬＥＤ２６のみを駆動すれば青色の表示となることは当然であるが、複数のＬＥＤを同時に駆動することで他の色表現を表示できる。例えば、赤色ＬＥＤ２２と緑色ＬＥＤ２４とを同時に駆動すれば黄色表示となり、赤色ＬＥＤ２２と青色ＬＥＤ２６とを同時に駆動すれば紫色表示となる。赤色ＬＥＤ２２と緑色ＬＥＤ２４と青色ＬＥＤ２６とを全部同時駆動すれば白色表示をすることができる。
【００３４】
時系列色表現とは、これら多数種類の色表現を時系列に並べたものである。例えば、赤色表示の後に黄色表示をし、それに続けて白色表示をすることができる。また、さらに続けて、紫表示をし、その後に青色表示を続けることもできる。モバイル機器等で、ユーザに何かを知らせる場合、赤色、緑色、青色の基本色の１つの色表現で表示するよりも、黄色、白色、紫色等の混色の色表現で表示する方が注意を引きやすい。さらに、複数の異なる色表現を時系列で次々に表示することで、さらに注意を引きやすい。このような場合に、時系列色表現の表示が用いられる。
【００３５】
表示チャンネル部２０と制御回路３０とに接続される表示駆動回路５０は、１つの半導体チップで構成されるＩＣである。表示駆動回路５０は、制御回路３０の時系列色表現指示部３２からの指示に従って、チャンネル駆動部５２の駆動条件を時系列的に設定する機能を有する。
【００３６】
具体的には、表示駆動回路５０は、表示チャンネル部２０を構成する３個の表示デバイスを駆動するチャンネル駆動部５２と、以下にその内容について詳述するパレットデータ４６に基づいて、制御回路３０から指示された時系列色表現指示に従ったチャンネル駆動のために必要なテーブルを生成するテーブル生成部６４と、生成されたテーブルを記憶するテーブル記憶部６２と、各点灯サイクルを順次切り替えるサイクル切替部６６と、記憶されたテーブルを参照し、各点灯サイクルごとのパレットデータ４６を取得するパレットデータ取得部７４と、点灯サイクルの切替に応じて取得されたパレットデータ４６を順次切り替えながら割り当てて、チャンネル駆動部５２の駆動条件を設定するパレットデータ設定部７６とを含んで構成される。
【００３７】
これらのうち、チャンネル駆動部５２以外の部分の機能はソフトウェアで実現でき、具体的には、対応する表示駆動プログラムを実行することで実現できる。このように、表示駆動回路５０は、これらの機能を実現するプログラムを実行するＣＰＵを含むＩＣである。なお、これらの機能の一部または全部をハードウェアで構成するものとしてもよい。例えば、サイクル切替部６６は、論理回路によって構成するものとできる。
【００３８】
テーブル生成部６４は、表示チャンネル部を構成する各表示デバイスの駆動条件であるチャンネル駆動条件と、各種類の色表現とを対応付けた複数種類のパレットデータ４６に基づいて、制御回路３０の時系列色表現指示部３２によって予め指示された時系列色表現指示に従ったチャンネル駆動のために必要なテーブルを生成する機能を有する。具体的には、図２に示されるように、色表現４２に対応付けられるパレットデータ４６とパレット番号（ＰＮ）４４とを関連付けたパレットデータテーブル６３と、点灯サイクル４８の順序とパレット番号(ＰＮ)４４とを関連付けた時系列パレット番号テーブル６５とを生成する機能を有する。以下に、時系列色表現指示と、色表現４２と、パレットデータ４６と、パレットデータテーブル６３と、時系列パレット番号テーブル６５の関係等について説明する。
【００３９】
上記のように、時系列色表現指示部３２からの時系列色表現指示とは、多数種類の色表現を時系列に並べたものである。図２では、点灯サイクルの切り替えごとに、色表現を赤色、黄色、白色、紫色、青色の順に切り替える場合が示されているが、この時系列色表現は、点灯サイクルの切り替えのように時系列で変化する時間軸上の色表現の動きに当たる情報指示と、赤色、黄色、白色、紫色、青色といった色の情報指示とを含む。
【００４０】
この２つの情報指示について、パレット番号（ＰＮ）４４を用いて次のように結びつけながらそれぞれ独立に規定することができる。すなわち、時間軸上の色表現の動きに当る情報指示を、点灯サイクル４８の順序とパレット番号（ＰＮ）４４とで与え、色の情報指示を、色表現４２とパレットデータ４６とパレット番号(ＰＮ)４４とで与える。このようにすることで、２つの情報指示についてパレット番号（ＰＮ）４４を介して結びつけながら、それぞれを独立に規定することが可能になる。このように、時系列色表現指示は、色表現に対応付けられるパレットデータ４６と、時間軸上の色表現の動きを表す情報とに分離して管理される。
【００４１】
これらの対応付けをテーブル化すると便利である。前者の点灯サイクル４８の順序とパレット番号（ＰＮ）４４との対応付けをテーブル化したものが時系列パレット番号テーブル６５で、後者の色表現４２に対応付けられたパレットデータ４６とパレット番号（ＰＮ）４４との間の対応付けをテーブル化したものがパレットデータテーブル６３である。図２には、時系列色表現指示部３２からの情報指示に従ってこれらのテーブルがテーブル生成部６４によって生成され、生成されたこれらのテーブルがテーブル記憶部６２に記憶されるものとして示されている。
【００４２】
このように、パレット番号（ＰＮ）４４は、時系列情報指示をテーブル化した時系列パレット番号テーブル６５と、色情報指示をテーブル化したパレットデータテーブル６３とを接続するものであるが、また、あるパレット番号（ＰＮ）４４が選択されると、パレットデータテーブル６３を参照することで、それに対応するパレットデータ４６が一意に定められることになる。
【００４３】
パレット番号（ＰＮ）４４によって一意に定められるパレットデータ４６とは、表示チャンネル部２０を構成する各表示デバイスの駆動条件であるチャンネル駆動条件と、各種類の色表現とを対応付けたデータである。
【００４４】
なお、以下では、色表現４２との関係を説明しやすいように、パレットデータテーブル６３に色表現４２を図示するものとするが、この色表現４２の項目はパレットデータテーブル６３に必須のものではない。パレットデータ４６は色表現４２に対応付けられているものであるが、色表現４２とパレットデータ４６との関連性はテーブル生成部６４において明示的あるいは暗示的に定義されていればよく、時系列色表現指示の内容に応じてテーブル生成部６４にて各色表現４２をパレットデータ４６に変換してパレットデータテーブル６３に出力すればよいため、テーブル記憶部６２やパレットデータ設定部７６などではパレットデータ４６が重要な情報であって、それがどの色表現４２と対応しているかの情報は必須のものではないのである。
【００４５】
図２においてパレットデータテーブル６３に示されるように、パレットデータ４６は９ビットのデータであるが、この９ビットデータは、赤色ＬＥＤ２２の駆動条件として３ビット、緑色ＬＥＤ２４の駆動条件として３ビット、青色ＬＥＤ２６の駆動条件として３ビットがそれぞれ割り当てられる。
【００４６】
すなわち、各ＬＥＤの駆動条件は、３ビットで示されていることになる。各ＬＥＤの駆動条件としての３ビットは、そのオンオフデータとして１ビット、階調データとして２ビットがそれぞれ割り当てられる。したがって、各ＬＥＤは、オフ状態、オン状態のときの４階調の合計５つの駆動条件がパレットデータ４６によって示されていることになる。
【００４７】
このように、各パレットデータ４６は、各ＬＥＤのオンオフ状態とその階調状態を示すデータであるので、赤色ＬＥＤ２２、緑色ＬＥＤ２４、青色ＬＥＤ２６を１組とした表示チャンネル部２０に表示される色表現の種類を示すデータでもある。
【００４８】
図２では、ＰＮ００１が（１１１００００００）のパレットデータ４６に対応付けられているが、これは赤色ＬＥＤ２２のみがオンされ、フル階調状態であるので、赤色の色表現に対応する。また、ＰＮ００２は、（１１１１１１００００）のパレットデータ４６に対応付けられているが、これは、赤色ＬＥＤ２２、緑色ＬＥＤ２４がオン状態でしかもフル階調の状態であるので、黄色の色表現に対応する。同様に、ＰＮ００３は、（１１１１１１１１１）のパレットデータ４６に対応付けられているが、赤色ＬＥＤ２２、緑色ＬＥＤ２４、青色ＬＥＤ２６がオン状態でしかもフル階調の状態であるので、白色の色表現に対応する。ＰＮ００４は、（１１１０００１１１）のパレットデータ４６に対応付けられ、赤色ＬＥＤ２２と青色ＬＥＤ２６がフル階調の紫色に対応し、ＰＮ００５は、（００００００１１１）のパレットデータ４６に対応付けられ、青色ＬＥＤ２６のみがフル階調の青色に対応する。
【００４９】
このように、パレットデータ４６は、表示チャンネル部２０を構成する赤色ＬＥＤ２２、緑色ＬＥＤ２４、青色ＬＥＤ２６の駆動条件であるチャンネル駆動条件のデータである。つまり、パレットデータ４６は、表示チャンネル部２０を構成する各表示デバイスの駆動条件であるチャンネル駆動条件と、各種類の色表現とを対応付けたデータである。
【００５０】
時系列パレット番号テーブル６５は、図２に示されるように、点灯サイクル４８の順序とパレット番号とを対応付けたテーブルである。すなわち、図２では、点灯サイクルＣ1にはパレット番号（ＰＮ）４４としてＰＮ００１が割り当てられ、点灯サイクルＣ2にはパレット番号（ＰＮ）４４としてＰＮ００２が割り当てられ、以下、点灯サイクルＣ3にはＰＮ００３が割り当てられ、点灯サイクルＣ4にはＰＮ００４が割り当てられ、点灯サイクルＣ5にはＰＮ００５が割り当てられている。
【００５１】
ここで、パレット番号（ＰＮ）４４を介して、パレットデータテーブル６３を参照すると、各点灯サイクル４８に割り当てられるパレットデータ４６を取得することができる。例えば、図２の点灯サイクルＣ1においては、パレット番号（ＰＮ）４４としてＰＮ００１が割り当てられ、ＰＮ００１は上記のように赤色の色表現である（１１１００００００）のパレットデータ４６に対応するので、点灯サイクルＣ1には赤色を表現するためのパレットデータ４６が割り当てられていることが分かる。
【００５２】
同様に、図２では、Ｃ2にＰＮ００２、Ｃ3にＰＮ００３、Ｃ4にＰＮ００４、Ｃ5にＰＮ００５がそれぞれ割り当てられているので、ＰＮ００２に黄色の色表現である（１１１１１１０００）のパレットデータ４６が、ＰＮ００３に白色の色表現である（１１１１１１１１１）のパレットデータ４６が、ＰＮ００４に紫色の色表現である（１１１０００１１１）のパレットデータ４６が、ＰＮ００５に青色の色表現である（００００００１１１）のパレットデータ４６が、それぞれ割り当てられていることになる。
【００５３】
テーブル生成部６４は、上記のように、時系列色表現指示部３２の指示を受け取って、その内容に従い、色表現４２とパレットデータ４６とパレット番号（ＰＮ）４４とを関連付けたパレットデータテーブル６３と、点灯サイクル４８の順序とパレット番号（ＰＮ）４４とを関連付けた時系列パレット番号テーブル６５とを生成する機能を有する。テーブルの生成は、時系列色表現指示部３２の指示に基づいて、適時に生成され、あるいは更新される。
【００５４】
このようにして生成されたパレットデータテーブル６３と時系列パレット番号テーブル６５は、テーブル記憶部６２に記憶される。テーブル記憶部６２としては適当なメモリを用いることができる。
【００５５】
サイクル切替部６６は、各点灯サイクルをその点灯時間を経過するごとに順次次の点灯サイクルに切り替える機能を有する。各点灯サイクルを順次次の点灯サイクルに切り替える信号は、切替信号７２として図２に示されている。サイクル切替部６６は、クロック信号発生部６８と、切替信号生成部７０を含んで構成される。
【００５６】
図２に示されるように、切替信号７２は、時間ｔ1において点灯サイクルＣ1の期間とするための切替パルス、時間ｔ2において点灯サイクルＣ2の期間とするための切替パルス、時間ｔ3において点灯サイクルＣ3とするための切替パルス、時間ｔ4において点灯サイクルＣ4の期間とするための切替パルス、時間ｔ5において点灯サイクルＣ5の期間とするための切替パルス、時間ｔ6において点灯サイクルＣ5が終わり、次の点灯サイクルの期間とするための切替パルス等で構成される。
【００５７】
切替信号生成部７０は、クロック信号発生部６８から出力されるクロック信号６７に基づいて切替信号７２を生成する機能を有する回路である。すなわち、切替信号７２を構成する切替パルスは、クロック信号発生部６８から出力されるクロック信号６７のクロック周期を単位として、各点灯サイクルの点灯時間に相当する切替周期ごとのパルスとして生成される。例えば、切替周期をＣＴとして、クロック周期がｔCKとすると、ｎ＝ＣＴ／ｔCKのパルス数を計数したときに、切替パルスを出力する。このように、切替信号生成部７０は、パルス計数機能を有する回路である。
【００５８】
なお、各点灯サイクルについて、ＣＴは同じであってもよく、異なってもよい。前者の場合、点灯サイクルＣ1からＣ5まで同じＣＴで繰り返すことになり、後者の場合、点灯サイクルＣ1のＣＴと点灯サイクルＣ2のＣＴとを異ならせ、また、点灯サイクルＣ2のＣＴと点灯サイクルＣ3のＣＴとを異ならせる等のようにできる。
【００５９】
パレットデータ取得部７４は、テーブル記憶部６２に記憶されたパレットデータテーブル６３と時系列パレット番号テーブル６５とを参照し、各点灯サイクル４８ごとに対応するパレットデータ４６を順次取得し、つぎのパレットデータ設定部７６に引き渡す機能を有する。
【００６０】
パレットデータ設定部７６は、点灯サイクル４８の切替に応じて取得されたパレットデータ４６を順次切り替えながら対応する点灯サイクル４８にそれぞれ当てて、表示チャンネル部２０を構成する各表示デバイス２２，２４，２６の駆動条件を設定する機能を有する。
【００６１】
図２の例では、点灯サイクルＣ1はＰＮ００１に対応付けられ、ＰＮ００１は（１１１００００００）のパレットデータ４６に対応付けられているので、これにより点灯サイクルＣ1には表示チャンネル部２０を構成する表示デバイスに対し、赤色ＬＥＤ２２にのみフル階調の駆動条件が割り当てられることになる。次にサイクル切替部６６の点灯サイクル切替によって点灯サイクルＣ2となると、点灯サイクルＣ2はＰＮ００２に対応付けられ、ＰＮ００２は（１１１１１１０００）のパレットデータ４６に対応付けられているので、これにより点灯サイクルＣ1には表示チャンネル部２０を構成する表示デバイスに対し、赤色ＬＥＤ２２と緑色ＬＥＤ２４とにフル階調の駆動条件が割り当てられることになる。
【００６２】
このようにして、パレットデータ時系列テーブル６５に基づき、パレット番号（ＰＮ）４４を介して、点灯サイクルがＣ1，Ｃ2，Ｃ3，Ｃ4，Ｃ5と切り替わるにつれ、表示チャンネル部２０に対し、（１１１００００００），(１１１１１１０００)，（１１１１１１１１１），（１１１０００１１１），（００００００１１１）の駆動条件が割り当てられながら順次切替が行われることになる。
【００６３】
チャンネル駆動部５２は、表示チャンネル部２０を構成する各表示デバイスである赤色ＬＥＤ２２、緑色ＬＥＤ２４、青色ＬＥＤ２６をそれぞれ駆動する駆動回路５４の集合である。駆動回路５４は、１つのＬＥＤの両端子に接続されるもので、ＬＥＤのアノード端子と電源端子との間に設けられるオンオフスイッチ素子５６と、ＬＥＤのカソード端子と定電流源６０との間に設けられるＤＡコンバータ５８とを含んで構成される。ＤＡコンバータ５８は、２ビットのディジタルデータをアナログデータに変換する回路であり、定電流源６０のフルレンジの電流値からその１／４の電流値まで、ＬＥＤに流す電流値を調整する機能を有する。
【００６４】
図２では、点灯サイクルＣ2に割り当てられたパレットデータ４６がチャンネル駆動部５２の駆動条件として設定される様子が示されている。すなわち、パレットデータテーブル６３と時系列パレット番号テーブル６５によって点灯サイクルＣ2に割り当てられたパレットデータ４６は、ＰＮ００２であり、その９ビットデータは（１１１１１１０００）である。なお、このＰＮ００２は、黄色の色表現に対応するものである。
【００６５】
ここで、この９ビットの最初の３ビットデータである（１１１）は赤色ＬＥＤ２２の駆動条件に対応し、次の３ビットデータである（１１１）は緑色ＬＥＤ２４の駆動条件に対応し、最後の３ビットデータである（０００）は青色ＬＥＤ２６の駆動条件に対応する。
【００６６】
そこで、最初の３ビットデータである（１１１）が、チャンネル駆動部５２の赤色ＬＥＤ２２のための駆動回路５４の駆動条件として設定される。すなわち、（１１１）の最初の１ビットデータは、オンオフスイッチ素子５６のオンオフ状態を規定するデータとして、次の２ビットデータは、２ビットのＤＡコンバータ５８の動作状態を規定するデータとしてそれぞれ設定される。この例では、オンオフスイッチ素子５６はオン状態に設定され、ＤＡコンバータ５８が、定電流源６０のフルレンジの電流値が赤色ＬＥＤ２２に流される状態として設定される。すなわち、赤色ＬＥＤ２２はフル点灯状態に設定される。
【００６７】
同様に、次の３ビットデータである（１１１）は緑色ＬＥＤ２４の駆動条件として、緑色ＬＥＤ２４のための駆動回路５４に対し設定される。この場合も、赤色ＬＥＤ２２の駆動状態と同じく、緑色ＬＥＤ２４はフル点灯状態に設定される。
【００６８】
最後の３ビットデータである（０００）は、青色ＬＥＤ２６の駆動条件に対応する。ここでは、最初の１ビットが０であるので、青色ＬＥＤ２６のための駆動回路５４のオンオフスイッチ素子５６がオフ状態に設定される。したがって、青色ＬＥＤ２６は、オフ状態であり、非点灯状態に設定される。
【００６９】
このようにして、パレットデータ４６としての（１１１１１１０００）は、チャンネル駆動部５２の駆動条件として設定され、上記の例では、赤色ＬＥＤ２２と緑色ＬＥＤ２４とがフル階調に対応するフル点灯状態に設定され、青色ＬＥＤ２６が非点灯状態に設定される。このようにして、表示チャンネル部２０は、点灯サイクルＣ2において、全体として、黄色の色表現を表示することになる。
【００７０】
同様にして、図２に示されるパレットデータテーブル６３と時系列パレット番号テーブル６５を参照して、各パレットデータ４６が各点灯サイクルにそれぞれ割り当てられ、その割り当てに従って、チャンネル駆動部５２において、赤色ＬＥＤ２２、緑色ＬＥＤ２４、青色ＬＥＤ２６の駆動条件が設定される。その結果として、表示チャンネル部２０においては、点灯サイクルＣ1において赤色の表示、点灯サイクルＣ2においては黄色の表示、点灯サイクルＣ3においては白色の表示、点灯サイクルＣ4においては紫色の表示、点灯サイクルＣ5においては青色の表示を順次行うことになる。
【００７１】
このように、時系列色表現指示部３２の指示に従ってテーブル生成部６４はパレットデータテーブル６３と時系列パレット番号テーブル６５とを生成し、そのテーブルをテーブル記憶部６２に記憶する。そして、パレットデータ設定部７６にパレットデータ４６を受け渡す際には、パレットデータ取得部７４において、サイクル切替部６６からの切り替えタイミングおよび表示すべき点灯サイクル４８の順序情報を得て、時系列パレット番号テーブル６５を参照して、各点灯サイクル４８ごとのパレット番号（ＰＮ）４４を取得し、その後、パレットデータテーブル６３を参照し、取得したパレット番号（ＰＮ）４４に対応するパレットデータ４６を取得する。このようにして取得されたパレットデータ４６が、パレットデータ設定部７６に受け渡される。
【００７２】
このようにして、表示チャンネル部２０を構成する各表示デバイスを駆動するチャンネル駆動部５２には、時系列色表現指示に対応して、各パレットデータ４６が時系列的に設定される。パレットデータ４６は、時系列色表現を実現する際に、色表現に対応付けられた複数個の表示デバイスの駆動条件であって、時系列とは独立のものである。したがって、時系列色表現を示す点灯色変化パターンの内容の変更を行う場合でもパレットデータ４６を差し替えるだけ、あるいはパレットデータの内容を書き換えるだけで済み、各表示デバイスの時系列駆動条件の全体を変更する必要がない。したがって、相互に異なる色表示が可能な複数個の表示デバイスを用いて多様な色表現の設定を容易に行うことができる。
【００７３】
上記構成の作用効果について、図３を用いて説明する。なお、比較のために、従来技術における同じ時系列色表現を実現するときの点灯制御の様子を図４に示す。ここでは、制御回路３０から、「時間ｔ1からｔ2の間は赤色表示、時間ｔ2からｔ3の間は黄色表示、時間ｔ3からｔ4の間は白色表示、時間ｔ4からｔ5の間は紫色表示、時間ｔ5からｔ6の間は青色表示を時系列で表示する」旨の時系列色表現指示が、表示駆動回路５０に出された場合について説明する。
【００７４】
この時系列色表現に対応する時系列のパレットデータ４６は、図２のパレットデータテーブル６３と時系列パレット番号テーブル６５によって与えられる内容である。したがって、赤色表示として指示された時間ｔ1からｔ2の間の点灯サイクルＣ1においては、パレットデータ４６として、ＰＮ００１である（１１１００００００）がチャンネル駆動部５２に駆動条件として設定される。その様子が、図３の時間ｔ1からｔ2の間において、赤色ＬＥＤ２２用の駆動回路５４に（１１１）が設定され、緑色ＬＥＤ２４用の駆動回路５４に（０００）が設定され、青色ＬＥＤ２６用の駆動回路５４に（０００）が設定されるとして示されている。
【００７５】
黄色表示として指示された時間ｔ2からｔ3の間の点灯サイクルＣ2の場合については、図２において例として説明した通りであって、パレットデータ４６としてはＰＮ００２である（１１１１１１０００）がチャンネル駆動部５２に駆動条件として設定される。その様子が、図３の時間ｔ2からｔ3の間において、赤色ＬＥＤ２２用の駆動回路５４に（１１１）が設定され、緑色ＬＥＤ２４用の駆動回路５４に（１１１）が設定され、青色ＬＥＤ２６用の駆動回路５４に（０００）が設定されるとして示されている。
【００７６】
同様に、白色表示として指示された時間ｔ3からｔ4の間の点灯サイクルＣ3においては、パレットデータ４６としてＰＮ００３である（１１１１１１１１１）がチャンネル駆動部５２に駆動条件として設定される。そして、その様子が、図３の時間ｔ3からｔ4の間において、赤色ＬＥＤ２２用の駆動回路５４に（１１１）が設定され、緑色ＬＥＤ２４用の駆動回路５４に（１１１）が設定され、青色ＬＥＤ２６用の駆動回路５４に（１１１）が設定されるとして示されている。
【００７７】
紫色表示として指示された時間ｔ4からｔ5の間の点灯サイクルＣ4においては、パレットデータ４６としてＰＮ００４である（１１１０００１１１）がチャンネル駆動部５２に駆動条件として設定される。そして、その様子が、図３の時間ｔ4からｔ5の間において、赤色ＬＥＤ２２用の駆動回路５４に（１１１）が設定され、緑色ＬＥＤ２４用の駆動回路５４に（０００）が設定され、青色ＬＥＤ２６用の駆動回路５４に（１１１）が設定されるとして示されている。
【００７８】
また、青色表示として指示された時間ｔ5からｔ6の間の点灯サイクルＣ5においては、パレットデータ４６としてＰＮ００５である（００００００１１１）がチャンネル駆動部５２に駆動条件として設定される。そして、その様子が、図３の時間ｔ4からｔ5の間において、赤色ＬＥＤ２２用の駆動回路５４に（０００）が設定され、緑色ＬＥＤ２４用の駆動回路５４に（０００）が設定され、青色ＬＥＤ２６用の駆動回路５４に（１１１）が設定されるとして示されている。
【００７９】
このように、表示チャンネル部２０を構成する各表示デバイスを駆動するチャンネル駆動部５２には、パレットデータテーブル６３と時系列パレット番号テーブル６５との間でパレット番号（ＰＮ）４４を介して与えられる各パレットデータ４６が時系列的に設定される。これによって、制御回路３０からの時系列色表現指示通りの色表現がその時系列に従って表示チャンネル部２０に表示されることになる。
【００８０】
図３から分かるように、パレットデータ４６は、時系列色表現を実現する際に、色表現に対応付けられた複数個の表示デバイスの駆動条件であって、時系列とは独立のものである。したがって、時系列色表現を示す点灯色変化パターンの内容の変更を、パレットデータ４６を差し替え、あるいはその内容を書き換えることで、容易に実現できる。
【００８１】
例えば、制御回路３０から、先ほどの時系列色表現指示において、黄色と青色とを入れ替える必要が出てきた場合でも、時系列パレット番号テーブル６５内の点灯サイクルＣ2におけるパレット番号（ＰＮ）４４をＰＮ００２からＰＮ００５に入れ替え、点灯サイクルＣ5におけるパレット番号（ＰＮ）４４をＰＮ００５からＰＮ００２に入れ替えるだけで済む。または、時系列パレット番号テーブル６５内の各点灯サイクルに対応するパレット番号（ＰＮ）４４はそのままにして、パレットデータテーブル６３内のＰＮ００２の内容を（１１１１１１０００）から（００００００１１１）に書き換え、ＰＮ００５の内容を（００００００１１１）から（１１１１１１０００）に書き換えてもよい。
【００８２】
図４は、従来技術の点灯制御の様子を示す図である。ここでは、比較のために、図３と同じ時系列色表現を実現する場合が示されている。従来技術では、所望の色表現を得るために赤色ＬＥＤ２２、緑色ＬＥＤ２４、青色ＬＥＤ２６の点灯制御をそれぞれ別々に行う。例えば、上記のように「時間ｔ1からｔ2の間は赤色表示、時間ｔ2からｔ3の間は黄色表示、時間ｔ3からｔ4の間は白色表示、時間ｔ4からｔ5の間は紫色表示、時間ｔ5からｔ6の間は青色表示を時系列で表示する」旨の時系列色表現指示が出されると、その内容を、赤色ＬＥＤ２２の駆動回路のオンオフパターンである点灯パターンと、緑色ＬＥＤ２４の駆動回路の点灯パターンと、青色ＬＥＤ２６の駆動回路の点灯パターンとに分解される。
【００８３】
すなわち、図４に示されるように、赤色ＬＥＤ２２は、時間ｔ1からｔ5までオンとされる点灯パターン、緑色ＬＥＤ２４は時間ｔ2から時間ｔ4までオンとされる点灯パターン、青色ＬＥＤ２６は時間ｔ3から時間ｔ6までオンとされる点灯パターンがそれぞれ設定される。
【００８４】
このように、従来技術においては、所望の時系列色表現に合せて、赤色ＬＥＤ２２の点灯パターン、緑色ＬＥＤ２４の点灯パターン、青色ＬＥＤ２６の点灯パターンが設定される。所望の時系列色表現がそのまま継続して用いられれば、その設定は変更なく用いられ続ける。何かの理由で時系列色表現を変更するときは、赤色ＬＥＤ２２の点灯パターン、緑色ＬＥＤ２４の点灯パターン、青色ＬＥＤ２６の点灯パターンを変更しなければならなくなる。
【００８５】
図３で説明した時系列色表現の変更の例を、図４の従来技術に当てはめると次のようになる。すなわち、黄色と青色とを入れ替えるのであるから、赤色ＬＥＤ２２の点灯パターンは、時間ｔ1からｔ2の間でオン、時間ｔ2からｔ3の間でオフ、時間ｔ3からｔ6の間でオンと設定変更になる。また、緑色ＬＥＤ２４の点灯パターンは、時間ｔ3からｔ4の間と、時間ｔ5からｔ6までの間がオンで他の期間はオフとして設定変更になる。青色ＬＥＤ２６の点灯パターンは、時間ｔ2からｔ5の間がオンとして設定変更になる。このように、黄色と青色とを入れ替える一見簡単な変更でも、全てのＬＥＤの点灯パターンの設定変更となる。
【００８６】
以上で、パレットデータに関する概要的説明を行ったので、次に、複数の表示チャンネル部の場合の点灯サイクルの切替について述べる。上記では、表示チャンネル部が１つである場合を説明したが、表示チャンネル部の数は２以上であってもよく、表示チャンネル部の数の増加に伴って表示デバイスの数も増えるので、さらに多様な色表現が可能になる。そして、パレットデータ４６を用いることで、この多様な色表現に対応する各表示チャンネル部の駆動条件を容易に設定でき、また、色表現の変更についても柔軟な対応が可能になる。
【００８７】
図２では、表示チャンネル部２０が１つであったので、サイクル切替部６６は、その１つの表示チャンネル部２０に対し、点灯サイクルの切替を順次行っていた。複数チャンネル部を有する場合にも、その点灯サイクルの切替を全ての表示チャンネル部に対し同じタイミングで同期して行うことができる。さらに、その点灯サイクルの切替を各表示チャンネル部ごとに異なるタイミングで切替を行うこととすれば、一層、色表現の幅を広げることができる。以下では、複数の表示チャンネル部の場合のパレットデータの用い方と共に、点灯サイクルの切替による色表現の多様化について述べる。
【００８８】
図５は、１２組の表示チャンネル部２０を有する表示チャンネル部組１０２に接続される表示駆動回路１０４を含む表示駆動システム１００の構成を説明するブロック図である。図６は、表示駆動システム１００の詳細な構成を説明する図である。
【００８９】
図６に示されるように、１２組の表示チャンネル部２０のそれぞれに対応して、１２組のチャンネル駆動部１０８を有するチャンネル駆動部組１０６が設けられる。それぞれのチャンネル駆動部１０８の内容は、図２で説明したチャンネル駆動部５２と同様で、赤色ＬＥＤ２２に対応する駆動回路と緑色ＬＥＤ２４に対応する駆動回路と青色ＬＥＤ２６に対応する駆動回路として、３つのオンオフスイッチ素子５６と３つのＤＡコンバータ５８と３つの定電流源６０とが含まれる。
【００９０】
この場合において、制御回路３０の時系列色表現指示部３２からは、１２組の表示チャンネル部２０のそれぞれについて、時系列色表現の指示が出される。ここで、１２組の表示チャンネル部２０のそれぞれを区別するために、チャンネル部番号（ＣＮ）２１を用いるものとし、ＣＮ０１からＣＮ１２で、それぞれの表示チャンネル部２０を示すものとする。図６の例では、赤色、緑色、青色の３つの色を、１２組の表示チャンネル部２０の点灯と消灯との操作によって、それらの間隔を一定に保ちながら、順次移動させて表示する指示が出された場合が示されている。
【００９１】
すなわち、点灯サイクルＣ1において、ＣＮ０１に赤色、ＣＮ０２からＣＮ０４は消灯すなわちＯＦＦとし、ＣＮ０５に緑色、ＣＮ０６からＣＮ０８はＯＦＦ、ＣＮ０９に青色、ＣＮ１０からＣＮ１２はＯＦＦとする。そして、点灯サイクルＣ2では、点灯とＯＦＦとについてチャンネル部番号を１つ進め、ＣＮ０１はＯＦＦ、ＣＮ０２に赤色、ＣＮ０３からＣＮ０５はＯＦＦとし、ＣＮ０６に緑色、ＣＮ０７からＣＮ０９はＯＦＦ、ＣＮ１０に青色、ＣＮ１１とＣＮ１２はＯＦＦとする。以下同様に、点灯サイクル４８が１つ進むごとに、点灯とＯＦＦとについてチャンネル部番号を１つ進める。このようにして、赤色、緑色、青色が、チャンネル部番号（ＣＮ）２１に沿って、それぞれが流れるように表示される。
【００９２】
このような指示に対応して、テーブル生成部６４は、パレットデータテーブル１１１と時系列パレット番号テーブル１１３を生成する機能を有する。ここで、図２では、表示チャンネル部２０が１つであったので、各点灯サイクル４８にパレット番号（ＰＮ）４４をそれぞれ対応させれば済んだが、ここでは、各点灯サイクル４８について、１２組の表示チャンネル部２０のそれぞれを区別するチャンネル部番号（ＣＮ）２１ごとに、それぞれパレット番号（ＰＮ）４４を対応させる必要がある。
【００９３】
図６では、パレットデータテーブル１１１にパレット番号（ＰＮ）４４として、ＰＮ０００からＰＮ００７に色表現４２として順に、ＯＦＦ、赤色、青色、緑色、水色、青色、紫色、白色の８種類が割り当てられている様子が示される。そして、上記の色表現の指示では、その中で、ＰＮ０００の（０００００００００）のＯＦＦ、ＰＮ００１の（１１１００００００）の赤色、ＰＮ００３の（０００１１１０００）の緑色、ＰＮ００５の（００００００１１１）の青色が実際に用いられることになる。
【００９４】
時系列パレット番号テーブル１１３は、点灯サイクル４８の順序ごとのチャンネル部番号（ＣＮ）２１とパレット番号（ＰＮ）４４とを関連付けたものとなる。例えば、点灯サイクルＣ1については、ＣＮ０１からＣＮ１２の１２のチャンネル部番号（ＣＮ）２１のそれぞれについて、時系列色表現指示に対応するパレット番号（ＰＮ）４４が割り当てられる。上記の例では、ＣＮ０１にＰＮ００１、ＣＮ０２からＣＮ０４にＰＮ０００、ＣＮ０５にＰＮ００３、ＣＮ０６からＣＮ０８にＰＮ０００、ＣＮ０９にＰＮ００５、ＣＮ１０からＣＮ１２にＰＮ０００がそれぞれ割り当てられる。
【００９５】
同様に、点灯サイクルＣ2では、点灯サイクルＣ1における点灯とＯＦＦの状態をチャンネル部番号（ＣＮ）２１で１つ進め、ＣＮ０１にＰＮ０００、ＣＮ０２にＰＮ００１、ＣＮ０３からＣＮ０５にＰＮ０００、ＣＮ０６にＰＮ００３、ＣＮ０７からＣＮ０９にＰＮ０００、ＣＮ１０にＰＮ００５、ＣＮ１１とＣＮ１２にＰＮ０００がそれぞれ割り当てられる。以下同様に、点灯サイクル４８が１つ進むごとに、点灯とＯＦＦとについてチャンネル部番号を１つ進める。このようにして、時系列パレット番号テーブル１１３が生成される。
【００９６】
生成されたパレットデータテーブル１１１と時系列パレット番号テーブル１１３は、テーブル記憶部６２に記憶される。
【００９７】
再び図６に戻り、点灯サイクルを切り替えるサイクル切替部６６は、図２で説明したサイクル切替部６６とは機能の内容が異なる。図２で説明したサイクル切替部６６は、クロック信号発生部６８と、切替信号生成部７０を含んで構成されており、切替信号７２を構成する切替パルスは、クロック信号発生部６８から出力されるクロック信号６７のクロック周期を単位として、各点灯サイクルの点灯時間に相当する切替周期ごとのパルスとして生成される。そして、表示チャンネル部２０は１つであるので、生成される切替信号７２は１種類である。
【００９８】
表示チャンネル部２０を複数有する表示チャンネル部組１０２についても、図２のようにして生成された１種類の切替信号７２を用いて、全ての複数の表示チャンネル部組１０２の点灯サイクルの切替を同期して行うことができる。図７は、そのような場合の各表示チャンネル部２０の点灯サイクルの切替の様子を示す図である。
【００９９】
ここでは、図２で説明した切替信号７２として、時間ｔ1とｔ2とｔ3とにおいて切替パルスが出されている様子が示されている。そして、時系列パレット番号テーブル１１３のチャンネル部番号（ＣＮ）２１のＣＮ０１からＣＮ１２までの全てが、時間ｔ1からｔ2の間が点灯サイクルＣ1とされ、時間ｔ2からｔ3の間が点灯サイクルＣ2とされ、時間ｔ3以後が点灯サイクルＣ3として示されている。つまり、チャンネル部番号（ＣＮ）２１のＣＮ０１からＣＮ１２までの全ての表示チャンネル部２０について、同じ切替信号７２によって同期して、点灯サイクルの切替が行われる。
【０１００】
図８は、各表示チャンネル部２０ごとに、点灯サイクルの切替のタイミングを異ならせる例を示す図である。ここでは、図７で説明した切替信号７２を元に、チャンネル部番号（ＣＮ）２１のＣＮ０１はその切替信号７２の切替パルスのタイミングで点灯サイクルＣ1，Ｃ2，Ｃ3が切り替わるが、チャンネル部番号（ＣＮ）２１のＣＮ０２以下は、この切替信号７２からそれぞれ所定の遅延時間だけ切替タイミングが異なる。
【０１０１】
すなわち、チャンネル部番号（ＣＮ）２１のＣＮ０２は、ＣＮ０１に比べΔ０２の遅延時間だけ遅れたタイミングの切替パルスによって点灯サイクルＣ1，Ｃ2，Ｃ3が切り替わる。ＣＮ０３は、ＣＮ０１に比べΔ０３の遅延時間だけ遅れたタイミングの切替パルスによって点灯サイクルＣ1，Ｃ2，Ｃ3が切り替わる。同様に他の表示チャンネル部２０もそれぞれ、ＣＮ０１に対し所定の遅延時間だけ遅れたタイミングの切替パルスによって点灯サイクルＣ1，Ｃ2，Ｃ3が切り替わる。図８では、ＣＮ１２が、ＣＮ０１に比べΔ１２の遅延時間だけ遅れたタイミングの切替パルスによって点灯サイクルＣ1，Ｃ2，Ｃ3が切り替わる様子が示されている。
【０１０２】
各遅延時間は、Δ０２よりもΔ０３の方が大きくなるように、チャンネル部番号ＣＮが進むにつれて大きい設定とすることもでき、チャンネル部番号ＣＮの順序と関係ない遅延時間の設定とすることもできる。このように、各表示チャンネル部２０ごとに、遅延時間を設定することで、遅延時間がない場合に比べ、色表現の多様性をさらに豊富なものとできる。なお、場合によっては、全ての遅延時間を同じ値として設定してもよい。
【０１０３】
また、図８では、チャンネル部番号（ＣＮ）２１のＣＮ０１の点灯サイクルの切替タイミングを基準として、他のチャンネル部番号（ＣＮ）２１についての点灯サイクルの切替タイミングを遅延させることを説明したが、チャンネル部番号（ＣＮ）２１のＣＮ０１以外のチャンネル部番号（ＣＮ）２１についての点灯サイクルの切替タイミングを基準としてもよい。その意味では、点灯サイクルの切替タイミングの基準となるチャンネル部番号（ＣＮ）２１がＣＮ０１であるということもできる。以下では、ＣＮ０１の点灯サイクルの切替タイミングを基準とすることで説明を続ける。
【０１０４】
再び図６に戻り、遅延データ記憶部４０は、サイクル切替部６６に接続され、時系列パレット番号テーブル１１３のチャンネル部番号（ＣＮ）２１に対応付けて複数の遅延時間データを記憶するメモリである。すなわち、チャンネル部番号（ＣＮ）２１のＣＮ０２に対応してΔ０２が記憶され、ＣＮ０３に対応してΔ０３が記憶され、以下同様にＣＮ１２に対応してΔ１２が記憶される。なお、ＣＮ０１に対応してΔ０１が記憶されてもよい。図８の例では、ＣＮ０１を基準として他の表示チャンネル部２０の切替タイミングが遅延されるので、Δ０１＝０とおくことができる。
【０１０５】
サイクル切替部６６は、クロック信号発生部６８と、切替信号生成部７１を含んで構成され、遅延時間データ記憶部４０と接続される。サイクル切替部６６は、遅延時間データ記憶部４０に記憶されるチャンネル部番号（ＣＮ）２１ごとの遅延時間データに基づき、各チャンネル部番号（ＣＮ）２１ごとに、各点灯サイクルをその点灯時間を経過するごとに順次次の点灯サイクルに切り替える機能を有する。各点灯サイクルを順次次の点灯サイクルに切り替える信号は、切替信号７３として図６に示されている。
【０１０６】
図７、図８で説明したように、ＣＮ０１のための切替信号７２は、時間ｔ1において点灯サイクルＣ1の期間とするための切替パルス、時間ｔ2において点灯サイクルＣ2の期間とするための切替パルス、時間ｔ3において点灯サイクルＣ3とするための切替パルス、時間ｔ4において点灯サイクルＣ4の期間とするための切替パルス、時間ｔ5において点灯サイクルＣ5の期間とするための切替パルス、時間ｔ6において点灯サイクルＣ5が終わり、次の点灯サイクルの期間とするための切替パルス等のように、複数の切替パルスで構成される。このＣＮ０１のための複数の切替パルスで構成される切替信号７２が、各チャンネル部番号（ＣＮ）２１ごとに用いられる切替信号の基準とされる。
【０１０７】
この基準とされる切替信号７２を構成する複数の切替パルスは、クロック信号発生部６８から出力されるクロック信号６７のクロック周期を単位として、各点灯サイクルの点灯時間に相当する切替周期ごとのパルスとして生成される。例えば、切替周期をＣＴとして、クロック周期がｔCKとすると、ｎ＝ＣＴ／ｔCKのパルス数を計数したときに、切替パルスを出力する。
【０１０８】
なお、図２で説明したように、各点灯サイクルについて、ＣＴは同じであってもよく、異なってもよい。前者の場合、点灯サイクルＣ1からＣ5まで同じＣＴで繰り返すことになり、後者の場合、点灯サイクルＣ1のＣＴと点灯サイクルＣ2のＣＴとを異ならせ、また、点灯サイクルＣ2のＣＴと点灯サイクルＣ3のＣＴとを異ならせる等のようにできる。
【０１０９】
このように複数の切替パルスで構成される信号を、切替パルス信号と呼ぶことにすれば、切替信号生成部７１は、クロック信号発生部６８から出力されるクロック信号６７に基づいて、複数の切替パルス信号から構成される切替信号７３を生成する機能を有する回路である。これらの複数の切替パルス信号は、それぞれ、各チャンネル部番号（ＣＮ）２１に割り当てられる。図６の例では、表示チャンネル部２０が１２あるので、切替信号７３は１２の切替パルス信号で構成される。図６では、切替信号７３を構成する１２の切替パルス信号の様子が、ＣＮ０１用の切替パルス信号、ＣＮ０２用の切替パルス信号、ＣＮ１２用の切替パルス信号に代表させて示されている。
【０１１０】
図９は、切替信号生成部７１の具体的構成の１例を説明する図である。切替信号生成部７１は、遅延カウンタと、各チャンネル部番号（ＣＮ）２１に対応してそれぞれ設けられる１２の表示チャンネル部用カウンタとで構成することができる。図９では、１２の表示チャンネル部用カウンタとして、ＣＮ０１カウンタ、ＣＮ０２カウンタ等が示されている。遅延カウンタを含め、これらの表示チャンネル部用カウンタには、クロック信号発生部６８から、クロック信号６７がそれぞれ供給される。
【０１１１】
遅延カウンタは、遅延時間データ記憶部４０から各チャンネル部番号（ＣＮ）２１に対応する遅延時間データを読み出し、それらの遅延時間データに相当する時間になるまでクロック信号６７を計数し、計数したときに、対応する表示チャンネル部カウンタに出力する機能を有するカウンタである。このことから、遅延時間データは、クロック信号６７の周期ｔCKの整数倍の時間データとして設定されることが好ましい。
【０１１２】
例えば、ＣＮ０２用の遅延時間データが（ｔCK×ｎ02）とすると、基準とするタイミングから起算してｎ02だけクロック信号６７を計数したときに、そのことを示す信号がＣＮ０２カウンタに出力される。同様に、ＣＮ０３用の遅延時間データを（ｔCK×ｎ03）として、基準とするタイミングから起算してｎ03だけクロック信号６７を計数したときに、そのことを示す信号がＣＮ０３カウンタに出力される。このように、遅延時間カウンタから各表示チャンネル部用カウンタに対し、それぞれの遅延時間データに対応する計数値が出力される。ここで、ｉ番目の表示チャンネル部をＣＮｉとして、ＣＮｉに出力される計数値をｎiとする。
【０１１３】
各表示チャンネル部用カウンタは、各表示チャンネル部２０について、基準の切替パルス信号に対し、対応する遅延時間データ分だけ切替タイミングをそれぞれ遅延した切替パルス信号を出力する機能を有する。例えば、ＣＮ０１の切替パルス信号を基準の切替パルス信号とすると、予め定めた周期ＣＴを（ｔCK×ｎ）として、基準とするタイミングから起算して、このＣＴごとに切替パルスを出力する切替パルス信号を生成し、これをＣＮ０１用の切替パルス信号とする。そして、ｉ番目の表示チャンネル部であるＣＮｉについては、ＣＮ０１用の切替パルス信号の各切替パルスから（ｔCK×ｎi）だけ遅延させた複数の切替パルスを生成し、これをＣＮｉ用の切替パルス信号とする。このようにして、１２のチャンネル部番号（ＣＮ）２１についてそれぞれ切替パルス信号が生成されて、全体としての切替信号７３が生成される。
【０１１４】
再び図６に戻り、パレットデータ取得部７４は、記憶されたパレットデータテーブル１１１と時系列パレット番号テーブル１１３とを参照し、サイクル切替部６６においてチャンネル部番号（ＣＮ）２１ごとに遅延されて生成された点灯タイミングで、各点灯サイクル４８ごとに各チャンネル部番号（ＣＮ）２１に対応するパレットデータ４６を取得する機能を有する。
【０１１５】
そして、パレットデータ設定部１１４は、チャンネル部番号（ＣＮ）２１ごとに遅延されて生成された点灯タイミングで切り替わった点灯サイクル４８について、取得された１２のパレットデータ４６を各表示チャンネル駆動部１０８に割り当てる。そして次に遅延された点灯タイミングで点灯サイクル４８が切り替わると、その切り替わった点灯サイクル４８について取得された１２のパレットデータ４６を各表示チャンネル駆動部１０８に割り当て、これを繰り返す。このように、パレットデータ設定部１１４は、点灯サイクル４８の遅延された切替タイミングに応じて取得されたパレットデータ４６を順次切り替えながら割り当てて、１２組の表示チャンネル部２０を構成する各表示デバイス２２，２４，２６の駆動条件を設定する機能を有する。
【０１１６】
各点灯サイクル４８ごとに各チャンネル部番号２１に対応するパレットデータ４６の組をパレットデータ組と呼ぶことにすると、図６では、点灯サイクルＣ1に割り当てられたパレットデータ組１１５が示されている。このパレットデータ組１１５が、パレットデータ取得部７４において、点灯サイクルＣ1における１２の各チャンネル部番号２１に対応するパレットデータ４６の内容である。このパレットデータ組１１５の内容がパレットデータ設定部１１４に引き渡されると、その内容に従って、それぞれのチャンネル駆動部１０８に駆動条件として設定される。
【０１１７】
すなわち、ＣＮ０１にはパレットデータ４６として（１１１００００００）が割り当てられ、ＣＮ０２からＣＮ０４にはパレットデータ４６として（０００００００００）が割り当てられ、ＣＮ０５にはパレットデータ４６として（０００１１１０００）が割り当てられ、ＣＮ０６からＣＮ０８にはパレットデータ４６として（０００００００００）が割り当てられ、ＣＮ０９にパレットデータ４６として（００００００１１１）が割り当てられ、ＣＮ１０からＣＮ１２にはパレットデータ４６として（０００００００００）がそれぞれ割り当てられる。
【０１１８】
例えば、ＣＮ０１のパレットデータ４６である（１１１００００００）は、１番目の表示チャンネル部２０に対応する１番目のチャンネル駆動部１０８に割り当てられる。このパレットデータ４６は、赤色の色表現に対応するものである。
【０１１９】
このＣＮ０１に割り当てられるパレットデータ４６である（１１１００００００）の９ビットが、どのようにして１番目のチャンネル駆動部１０８を構成する３つのオンオフスイッチ素子５６のオンオフデータ、３つのＤＡコンバータ５８の階調データとして設定されるかは、図２で説明したものと同様である。この場合、赤色ＬＥＤ２２がフル点灯、緑色ＬＥＤ２４と青色ＬＥＤ２６は消灯となる駆動条件に設定される。
【０１２０】
ここでは、ＣＮ０１の切替パルス信号は、１２のチャンネル部番号（ＣＮ）２１の全体についての基準とされているので、遅延が行われていない。すなわち、時間ｔ1からｔ2の間において、（１１１００００００）のパレットデータ４６がチャンネル部番号（ＣＮ）２１でＣＮ０１の表示チャンネル部２０を構成する各表示デバイスの駆動条件として設定される。
【０１２１】
同様に、ＣＮ０５のパレットデータ４６である（０００１１１０００）が、５番目の表示チャンネル部２０に対応する５番目のチャンネル駆動部１０８に割り当てられる。この場合、緑色ＬＥＤ２４がフル点灯、赤色ＬＥＤ２２と青色ＬＥＤ２６は消灯となる駆動条件に設定される。
【０１２２】
ここでは、ＣＮ０５の切替パルス信号は、ＣＮ０１の切替パルス信号に対しΔ０５だけ遅延されている。したがって、時間（ｔ1＋Δ０５）から（ｔ2＋Δ０５）の間において、（０００１１１０００）のパレットデータ４６がチャンネル部番号（ＣＮ）２１でＣＮ０５の表示チャンネル部２０を構成する各表示デバイスの駆動条件として設定される。
【０１２３】
また、ＣＮ０９のパレットデータ４６である（００００００１１１）が、９番目の表示チャンネル部２０に対応する９番目のチャンネル駆動部１０８に割り当てられる。この場合、青色ＬＥＤ２６がフル点灯、赤色ＬＥＤ２２と緑色ＬＥＤ２４は消灯となる駆動条件に設定される。
【０１２４】
ここでは、ＣＮ０９の切替パルス信号は、ＣＮ０１の切替パルス信号に対しΔ０９だけ遅延されている。したがって、時間（ｔ1＋Δ０９）から（ｔ2＋Δ０９）の間において、（００００００１１１）のパレットデータ４６がチャンネル部番号（ＣＮ）２１でＣＮ０９の表示チャンネル部２０を構成する各表示デバイスの駆動条件として設定される。
【０１２５】
なお、その他のチャンネル部番号（ＣＮ）２１については（０００００００００）のパレットデータ４６が割り当てられるので、これらに対応する表示デバイス２２，２４，２６はいずれも消灯の駆動条件に設定される。この場合にも、各チャンネル部番号（ＣＮ）２１に応じた遅延時間の切替タイミングで消灯が行われることになる。
【０１２６】
このようにして、点灯サイクルＣ1に割り当てられたパレットデータ組１１５を構成する１２のパレットデータ４６が、１２のチャンネル駆動部１０８のそれぞれに、対応する遅延時間の切替タイミングで、駆動条件として設定される。また、他の点灯サイクルについても同様に、その点灯サイクルに切り換わったことで、その点灯サイクルに割り当てられたパレットデータ組１１５を構成する１２のパレットデータ４６が、１２のチャンネル駆動部１０８のそれぞれに、対応する遅延時間の切替タイミングで、駆動条件として設定される。
【０１２７】
図１０は、遅延時間データを有効に利用することで、パレットデータ４６を各チャンネル部番号（ＣＮ）２１ごとに異ならせなくても、色表現を多様化できる例を示す図である。
【０１２８】
ここでは、時系列パレット番号テーブル１１３は、予め定めた複数の表示チャンネル部について同一のパレット番号（ＰＮ）４４を指すようになっている。図１０の例では、点灯サイクルＣ1以降は、全部のチャンネル部番号（ＣＮ）２１について（１１１００００００）のパレットデータ４６に対応するＰＮ００１、つまり色表現として赤色に対応するパレット番号（ＰＮ）４４とされ、点灯サイクルＣ1より前は、全部のチャンネル部番号（ＣＮ）２１について（１１１１１１０００）のパレットデータ４６に対応するＰＮ００２、つまり色表現として黄色に対応するパレット番号（ＰＮ）４４とされる。なお、図１０では、ＰＮ００１をＲ、ＰＮ００２をＹとして示してある。
【０１２９】
そして、切替信号７３において、基準となるチャンネル部番号（ＣＮ）２１であるＣＮ０１は、一定の周期ＣＴを有する切替パルス信号で与えられ、ＣＮ０２は、これに対しΔ０２＝ＣＴだけ遅延される。また、ＣＮ０３は、ＣＮ０１に対しΔ０３＝２ＣＴだけ遅延される。以下、ＣＮ０４はΔ０４＝３ＣＴ、ＣＮ０５はΔ０５＝４ＣＴだけ遅延され、同様にしてＣＮ１１はΔ１１＝１０ＣＴ、ＣＮ１２はΔ１２＝１１ＣＴだけ遅延される。つまり、ちょうど点灯サイクルの周期ずつ、各チャンネル部番号（ＣＮ）２１の切替パルスは順次遅延される。
【０１３０】
その結果、点灯サイクルＣ1のパレット番号（ＰＮ）４４であるＲは、ＣＮ０１では時間ｔ1からｔ2の間に割り当てられるが、ＣＮ０２では時間ｔ2からｔ3の間に割り当てられる。時間ｔ2からｔ3とは、遅延時間データを用いないときの点灯サイクルＣ2に対応する。つまり、遅延時間データを用いることで、実質的に１つの点灯サイクル分、同一のパレット番号（ＰＮ）４４が移動したことに相当する。同様に、ＣＮ０３では点灯サイクルＣ1のパレット番号（ＰＮ）４４であるＲが、時間ｔ3からｔ4の間に割り当てられる。時間ｔ3からｔ4とは、遅延時間データを用いないときの点灯サイクルＣ3に対応する。つまり、遅延時間データを用いることで、実質的に２つの点灯サイクル分、同一のパレット番号（ＰＮ）４４が移動したことに相当する。したがって、上記のように、ちょうど点灯サイクルの周期ずつ、各チャンネル部番号２１の切替パルスを順次遅延することで、実質的に同一のパレット番号（ＰＮ）４４を点灯サイクルの周期ずつ移動させることができる。
【０１３１】
図１０に示される表示状態テーブル１２０は、上記のように予め定めた複数の表示チャンネル部について同一のパレット番号（ＰＮ）４４を指す時系列パレット番号テーブル１１３を作成し、その同一のパレット番号（ＰＮ）４４に対応するパレットデータを予め定めた遅延時間に従って各チャンネル部番号（ＣＮ）２１に対応する各表示チャンネル部２０を構成する表示デバイスの駆動条件として設定したときの各チャンネル部番号（ＣＮ）４４における時系列の色表示の状態を示す図である。ここでは予め定めた遅延時間を、各チャンネル部番号（ＣＮ）２１に対応してＣＴの整数倍としてある。
【０１３２】
ここで示されるように、時間がＣＴ単位で経過するごとに、１２の表示チャンネル部２０の全体としての表示チャンネル部組１０２の色表現が変化する。このような色表現を実現する方法として、遅延時間を用いないで１つの切替信号７２を用い、表示状態テーブル１２０を時系列色表現指示として、時系列パレット番号テーブル１１３を生成することもできる。その場合には、各点灯サイクルごとにパレットデータ組１１５をそれぞれ生成することになる。上記のように、遅延時間データを用いて各チャンネル部番号２１ごとに異なる切替パルスを生成させることで、同一のパレット番号（ＰＮ）４４を用いて、表示状態テーブル１２０に示すような色表現を実現することができる。
【０１３３】
上記では、遅延時間を、各チャンネル部番号（ＣＮ）２１に対応してＣＴの整数倍としてあるが、ＣＴと関係なく、遅延時間を各チャンネル部番号２１ごとに少しずつ大きくすることで、表示状態テーブル１２０に示されるよりも、さらにきめ細かく次第に色調が変化する色表現を実現することもできる。仮に、同様の色表現について遅延時間データを用いず１種類の切替パルス信号による切替信号を用いて時系列パレット番号テーブル１１３によって実現するときは、切替パルスの周期であるＣＴをより細かくする必要があり、それに応じ、時系列パレット番号テーブル１１３のデータ数が増加することになる。
【０１３４】
なお、図１０では、複数の表示チャンネル部の間についての同一のパレット番号（ＰＮ）４４として赤色に対応するＰＮ００１と黄色に対応するＰＮ００２の２つを用いて説明したが、勿論、これ以外の多種類のパレット番号（ＰＮ）４４の組み合わせを、固定されるパレット番号（ＰＮ）４４として用いることができる。
【０１３５】
上記のように、パレットデータ４６は、時系列色表現を実現する際に、色表現に対応付けられた複数個の表示デバイスの駆動条件であって、時系列とは独立のものである。したがって、時系列色表現を示す点灯色変化パターンの内容の変更を行う場合でもパレットデータ４６を差し替えるだけ、あるいはパレットデータ４６の内容の書き換えだけで済み、各表示デバイスの時系列駆動条件の全体を変更する必要がない。図２に関連して、時系列色表現指示において、黄色と青色とを入れ替える必要が出てきた場合について説明したが、図６の場合でも同様な方法で、パレットデータ４６に関する変更で、時系列色表現を示す点灯色変化パターンの内容の変更を行うことができる。
【０１３６】
ところで、時系列色表現指示部３２から与えられる時系列色表現について、テーブル生成部６４で生成しえるパレットデータテーブル１１１と時系列パレット番号テーブル１１３は唯一のものではなく、いくつかの生成方法が可能である。以下に、図６で説明したパレットデータテーブル１１１と時系列パレット番号テーブル１１３とは別のテーブル生成について、いくつかの例を説明する。以下で説明する例は、説明のための数例であり、この例に限定することを意味せず、これら以外のテーブル生成も可能である。
【０１３７】
図６では、パレットデータテーブル１１１として、予め必要とされる色を一通り固定的に定義しておき、テーブル生成部６４では、単純に時系列色表現指示の中の色を１対１でパレットデータテーブル１１１の色表現４２から逆変換してパレット番号（ＰＮ）４４を求め、それを各点灯サイクル４８と各チャンネル部番号（ＣＮ）２１について行い、時系列パレット番号テーブル１１３を生成している。
【０１３８】
この構成では、予め定義されている色以外の色表現をすることができないので、パレットデータテーブル１１１の容量の大きさ、つまり、パレット番号（ＰＮ）４４の種類数で表現可能な色数が限定される。パレット番号（ＰＮ）４４の種類数を増やせば表現可能色数の制限が少なくなってゆき、究極は、２9のパレット番号まで、表現可能な色表現を増加させることができるが、その分、テーブル記憶部６２に必要な記憶容量が増加する。実際には、点灯サイクル４８の数が多くてもある限られた種類の色を複数の表示チャンネル部２０で繰り返し点灯させる例が多いので、そのように実際に使われる色数がある程度少ないことが分かっていれば、図６で説明した構成が簡明で分かりやすく、データ規模も少なくて済む。
【０１３９】
この構成の場合、例えば、赤色で点灯している部分を全部緑色に変更したい場合には、時系列パレット番号テーブル１１３内のＣＮ０１−Ｃ1，ＣＮ０２−Ｃ2，ＣＮ０３−Ｃ3，ＣＮ０４−Ｃ4，ＣＮ０５−Ｃ5の５つのパレット番号（ＰＮ）４４の値ＰＮ００１をＰＮ００３に書き換えればよい。ただし、テーブル生成部６４にて時系列パレット番号テーブル１１３を生成する際に色表現４２からパレット番号（ＰＮ）４４の変換についてパレットデータテーブル１１１を用いて逆変換しているので、単にパレットデータテーブル１１１のＰＮ００１のパレットデータ４６を（０００１１１０００）に変更し、色表現４２を緑色に書き換えることは、緑色の色表現４２に対応するパレット番号（ＰＮ）がＰＮ００１とＰＮ００３の２つになってしまい、一意に逆変換できなくなってしまうため、許容されない。なお、例えば、時系列色表現全体の赤色の輝度を落とすことは、パレットデータテーブル１１１内のＰＮ００１のパレットデータ４６を（１１０００００００）へ変更するだけで済むので、１箇所の修正でよい。
【０１４０】
図１１は、色表現指示に従ったテーブル生成の他の例を説明する図である。ここでは、点灯サイクル４８の種類数とチャンネル部番号（ＣＮ）２１の種類数で計算される全ての組み合わせのパレット番号（ＰＮ）４４を用意する。図６で説明した時系列色表現の指示では、点灯サイクル４８の数は５で、チャンネル部番号（ＣＮ）２１の数は１２であるので、５×１２＝６０のパレット番号（ＰＮ）４４でパレットデータテーブル１１１を生成する。
【０１４１】
図１１の構成では、点灯サイクル４８の種類数とチャンネル部番号（ＣＮ）２１の種類数が増大すると、それに比例してパレットデータテーブル１１１の容量が増加することになる。この構成では、時系列パレット番号テーブル１１３の順序配列がパレットデータテーブル１１１の順序配列と同じデータの並びとなるため、テーブル生成部６４においては、時系列パレット番号テーブル１１３の順に従ってパレットデータテーブル１１１を生成する処理の流れとなる。なお、この構成では、時系列パレット番号テーブル１１３は、点灯サイクル４８の種類数とチャンネル部番号（ＣＮ）２１の種類数が決まれば、事実上一意にその順序配列が定まるので、テーブル記憶部６２に時系列パレット番号テーブル１１３を記憶することなく、暗黙的に定義するものとしてもよい。
【０１４２】
この構成の場合、例えば、赤色で点灯している部分を全部緑色に変更したい場合には、パレットデータテーブル１１１内のＰＮ００１，ＰＮ０１４，ＰＮ０２７，ＰＮ０４０，ＰＮ０５３の５つのパレットデータ４６を、（１１１００００００）から（０００１１１０００）に書き換えればよい。なお、前例と同様に、赤色の輝度についてパレットデータ４６を変更して（１１０００００００）として輝度を落とすことも、同様に、ＰＮ００１，ＰＮ０１４，ＰＮ０２７，ＰＮ０４０，ＰＮ０５３の５つのパレットデータ４６を修正することになり、色情報と時系列の動き情報とを分離した恩恵が十分には得られないことに留意する必要がある。
【０１４３】
図１２は、色表現指示に従ったテーブル生成のさらに他の例を説明する図である。ここでは、図１１でパレットデータテーブル１１１の容量が大きくなりすぎるのを回避するため、パレット番号（ＰＮ）４４の種類数をチャンネル部番号（ＣＮ）２１の種類数と同じかそれ以上とし、点灯サイクル４８が切り替わるのに同期させて、パレットデータテーブル１１１の割り当てを動的に変化させる。この同期のために、サイクル切替部６６からテーブル生成部６４に同期信号７８が供給される。
【０１４４】
この構成によれば、本質的には、時系列パレット番号テーブル１１３に点灯サイクル４８のＣ1，Ｃ2，Ｃ3・・・という情報が不要となり、さらにチャンネル部番号（ＣＮ）２１＝パレット番号（ＰＮ）４４となっている。したがって、時系列パレット番号テーブル１１３自体が事実上不要となり、暗黙的に定義されていることと同じである。この構成は、テーブル記憶部６２の記憶容量を小さくする利点を有するが、色表現の動きに当る情報を記憶せずに、逐次生成を継続することになっている。したがって、次のパレットデータテーブル１１１を生成するための処理時間が長くかかってしまう場合、特に動きの速い表現においては、パレットデータテーブル１１１の更新が間に合わず、意図しない色表現となる可能性があることに留意する必要がある。
【０１４５】
図１３は、色表現指示に従ったテーブル生成の別の例を説明する図である。ここでは、予めパレット番号（ＰＮ）４４をある程度の種類数を用意しておく。図１３の例では、ＰＮ０００を消灯、つまりＯＦＦとして固定し、時系列色表現指示から登場する消灯以外の色表現を色表現１、色表現２、色表現３・・・と順に割り当てて行き、異なる種類の色表現が出るごとに、ＰＮ００１，ＰＮ００２，ＰＮ００３・・・とパレット番号（ＰＮ）４４を順々に割り当てる。これによって、時系列色表現指示中から色の動きに当る情報が抽出されるので、次に、時系列色表現指示中から、色表現１であるＰＮ００１、色表現２であるＰＮ００２、色表現３であるＰＮ００３・・・に当る色表現をパレットデータテーブル１１１で定義する。
【０１４６】
図１３では、ＰＮ００１に赤色、ＰＮ００２に緑色、ＰＮ００３に青色を順次割り当てている。なお、ＰＮ００４からＰＮ０１５までは予備のパレットデータ領域で、この例示している時系列色表現では未使用の領域である。他の時系列色表現の場合には、ＰＮ０１５まで用いる可能性がある。図１３では、未使用のパレット番号（ＰＮ）４４のパレットデータ４６としてＯＦＦを示す（０００００００００）としているが、未使用部分には、勿論、いかなるパレットデータ４６としてもよい。
【０１４７】
図１３の構成では、一連の時系列色表現中で登場することのできる色表現の種類数が、最大でも予め用意されたパレット番号（ＰＮ）４４の種類数に限定される。したがって、図６で説明した構成と同様に、表現力を高めるためにはパレット番号（ＰＮ）４４の種類数を増やす必要があるが、実際には同じ色が繰り返し出現する時系列色表現であれば、パレットデータテーブル１１１の容量が必要以上に大きくならないので、より好ましい構成と考えることができる。
【０１４８】
また、図６で説明した構成では、使う必要のある色表現の種類数だけパレットデータテーブル１１１への定義が必要であるので、今回の一連の時系列色表現中では用いていないが別の時系列色表現中では用いられる可能性のある色表現である黄色、水色、紫色、白色も定義しておく必要がある。
【０１４９】
しかし、例えば、用いる可能性のある色表現の種類が７色、ＯＦＦも含めると８色の場合で説明すると、常にある一連の時系列色表現内ではそのうちの３色、ＯＦＦも含めて４色までしか登場しない場合、図１３の構成では、パレット番号（ＰＮ）４４の種類数は４つでよく、時系列色表現指示を受けて、ＰＮ００１からＰＮ００３に対し、上記７色の中からいずれかの３色が動的に割り当てられればよい。さらに、一連の時系列色表現中に同時に登場する色表現の種類数が３色、ＯＦＦも含めて４色と決まっている場合には、その３色が上記の７色中ではなくて、パレットデータ４６の９ビットの組み合わせである２9の種類の中から任意の３色を選ぶことも可能である。
【０１５０】
つまり、ＰＮ００１はあくまでも色表現１、つまり一色目の色の意味であり、それが何色であるかは予め決められてなく、パレットデータテーブル１１１で定義され、しかもその色の組み合わせ数は、パレットデータ４６で表現できる組み合わせ数となる。したがって、事実上、ＰＮ００１の色が赤色と固定的に定義されている図６の場合と比べ、色表現の選択の自由度が大きく異なる。したがって、図１３の構成の方が、図６の構成に比べて、パレットデータテーブル１１１の容量をより削減できる可能性を有し、同じパレットデータテーブル１１１の容量であれば、より多くの色表現を実現しえることになる。
【０１５１】
また、図１３の構成で、例えば、赤色が点灯している部分をすべて緑色の点灯に変更したい場合には、パレットデータテーブル１１１のＰＮ００１に（０００１１１０００）を設定すれば、１箇所の変更だけで済む。これは、パレットデータテーブル１１１の参照が、パレット番号（ＰＮ）４４を与えるとパレットデータ４６が取り出せるという片方向の参照に限定されているため、ＰＮ００１，ＰＮ００２の双方が同じパレットデータ４６である緑色を示す（０００１１１０００）となっていても問題ないために、このようなことが可能となっている。
【０１５２】
また、図１３の構成で、例えば、赤色の輝度を落とす場合も、パレットデータテーブル１１１のＰＮ００１のパレットデータ４６を（１１０００００００）というように１箇所変更するのみでよい。このように、パレットデータテーブル１１１の変更に対してもより柔軟性を有している。
【０１５３】
なお、図１３の構成をもとにして、図１２で説明したように、パレットデータテーブル１１１を点灯サイクル４８の切り替えに同期して動的に再生成することも可能である。この場合、例えば、点灯サイクルＣ1からＣ3の間で出現する色表現の種類数が１４種類であって、点灯サイクルＣ4にてさらに３種類以上の色表現が出現し、１６種類を超える場合に、点灯サイクルＣ4からＣ5において、再度、パレットデータテーブル１１１をＰＮ００１から再割り当てするといった組み合わせ手法を用いることができる。
【０１５４】
例えば、実際に、テーブル生成部６４が、表示駆動回路５０のＩＣの外部におけるマイクロコンピュータ上で実行されるソフトウェアにて構成される場合に、このような構成をとることが可能である。これによって、図１３の構成において、同時に登場しえる色表現の種類数に関する制約は、パレット番号（ＰＮ）４４の種類数がチャンネル部番号（ＣＮ）２１の種類数以上であれば、全くなくなることになる。
【０１５５】
このように、パレットデータテーブル１１１と時系列パレット番号テーブル１１３とを明示的に分けて構成することで、図６から図１３のいずれの構成も実現可能となる。また図１３で説明した構成を用いることで、限られたテーブル記憶部６２の容量の中で、より柔軟な時系列色表現を実現し、その時系列色表現の変更を容易に行うことが可能となる。
【産業上の利用可能性】
【０１５６】
本発明に係る表示駆動回路及び表示駆動システムは、携帯電話等のモバイル機器等に搭載されて利用される。
【符号の説明】
【０１５７】
１０，１００  表示駆動システム、２０  表示チャンネル部、２１  チャンネル部番号（ＣＮ）、２２  赤色ＬＥＤ、２４  緑色ＬＥＤ、２６  青色ＬＥＤ、３０  制御回路、３２  時系列色表現指示部、４０  遅延時間データ記憶部、４２  色表現、４４  パレット番号（ＰＮ）、４６  パレットデータ、４８  点灯サイクル、５０，１０４  表示駆動回路、５２，１０８  チャンネル駆動部、５４  駆動回路、５６  オンオフスイッチ素子、５８  ＤＡコンバータ、６０  定電流源、６２  テーブル記憶部、６３，１１１  パレットデータテーブル、６４  テーブル生成部、６５，１１３  時系列パレット番号テーブル、６６  サイクル切替部、６７  クロック信号、６８  クロック信号発生部、７０，７１  切替信号生成部、７２，７３  切替信号、７４  パレットデータ取得部、７６，１１４  パレットデータ設定部、７８  同期信号、１０２  表示チャンネル部組、１０６  チャンネル駆動部組、１１５  パレットデータ組、１２０  表示状態テーブル。
【図１】
0005479854.tif 000002
【図２】
0005479854.tif 000003
【図３】
0005479854.tif 000004
【図４】
0005479854.tif 000005
【図５】
0005479854.tif 000006
【図６】
0005479854.tif 000007
【図７】
0005479854.tif 000008
【図８】
0005479854.tif 000009
【図９】
0005479854.tif 000010
【図１０】
0005479854.tif 000011
【図１１】
0005479854.tif 000012
【図１２】
0005479854.tif 000013
【図１３】
0005479854.tif 000014